(57)【要約】【課題】辺りが暗い時にも凧を容易に探したり、注目を集めることができる発光装置を有する凧の構造を提供することを目的とする。【解決手段】上記の課題を解決するために、本発明は、光を放射する発光装置を有する凧の構造であって、結合装置を経由して、着脱可能なように上記凧の第一面に取り付けられた冷光板と、上記冷光板からの様々な光の放射を駆動させるマイクロプロセッサーと、上記様々な光の放射の駆動を切替えるスイッチとを有する回路基板とで構成される。【選択図】        図５
2004215835.tif 000002
【特許請求の範囲】
【請求項１】
光を放射する発光装置を有する凧の構造であって、
結合装置を経由して、着脱可能なように上記凧の第一面に取り付けられた冷光板と、
上記冷光板からの様々な光の放射を駆動させるマイクロプロセッサーと、
上記様々な光の放射の駆動を切替えるスイッチとを有する回路基板とで構成されることを特徴とする発光装置を有する凧の構造。
【請求項２】
上記冷光板は、ワイヤにより上記回路基板と接続されることを特徴とする請求項１記載の発光装置を有する凧の構造。
【請求項３】
上記ワイヤは、上記凧に設けられた孔に沿って伸縮可能に配線されることを特徴とする請求項２記載の発光装置を有する凧の構造。
【請求項４】
上記回路基板は、上記凧が風で振動したとき、上記振動を検知する振動検知器を有し、
上記振動検知器は、上記マイクロプロセッサーに検知結果を通知し、
上記マイクロプロセッサーは、上記検知結果に応じて光を点滅させることを特徴とする請求項１乃至３いずれか一項記載の発光装置を有する凧の構造。
【請求項５】
上記回路基板を収容するボックスを有することを特徴とする請求項１乃至４いずれか一項記載の発光装置を有する凧の構造。
【請求項６】
上記ボックスは、着脱可能なように上記凧の第二面に設置されることを特徴とする請求項５記載の発光装置を有する凧の構造。
【請求項７】
上記ボックスは、上記結合装置を経由して上記凧の第二面に設置されることを特徴とする請求項５又は６記載の発光装置を有する凧の構造。
【発明の詳細な説明】
【０００１】
【発明の属する技術分野】
本発明は、発光装置を有する凧の構造に係り、特に、辺りが暗い時に凧を飛ばす場合、凧の位置が確認できるように様々な光で発光させる発光装置を有する凧の構造に関するものである。
【０００２】
【従来の技術】
従来、玩具である凧は、ひし型や方形など様々な形で形成され、その凧に空に上げるための糸が設けられている。休日には、沢山の人が川原などで糸を引っ張りながら凧を空に上げて遊んでいる。このように空に凧を飛ばす時に、他の人の凧と自分の凧とを区別するため、又は注目を集めるために凧を様々な外形に形成したり、凧に図形や絵画を描いている場合が多い。
【０００３】
【発明が解決しようとする課題】
図６は、従来の凧の使用例を示す図である。図６に示すように、辺りが暗くなった時に従来の凧１を空に上げた場合、従来の凧の構造では、自分の凧１の位置を容易に探すことができないという問題点があった。
【０００４】
よって、本発明は、上記の問題点を解決し、辺りが暗い時にも凧を容易に探したり、注目を集めることができる発光装置を有する凧の構造を提供することを目的とする。
【０００５】
【課題を解決するための手段】
上記課題を解決するため、本発明は、請求項１に記載されるように、光を放射する発光装置を有する凧の構造であって、結合装置を経由して、着脱可能なように上記凧の第一面に取り付けられた冷光板と、上記冷光板からの様々な光の放射を駆動させるマイクロプロセッサーと、上記様々な光の放射の駆動を切替えるスイッチとを有する回路基板とで構成される。
【０００６】
このような発光装置を有する凧の構造では、結合装置を経由して、着脱可能なように凧の第一面に取り付けられた冷光板と、冷光板からの様々な光の放射を駆動させるマイクロプロセッサーと、様々な光の放射の駆動を切替えるスイッチとを有する回路基板とで構成されることにより、辺りが暗い時にも凧を容易に探したり、注目を集めることができる。
【０００７】
また、本発明は、請求項２に記載されるように、上記冷光板はワイヤにより上記回路基板と接続される構成としてもよい。
【０００８】
このような発光装置を有する凧の構造では、冷光板と回路基板とをワイヤにより接続することにより、電気接続が可能となり、冷光板から光を放射させることができる。
【０００９】
また、本発明は、請求項３に記載されるように、上記ワイヤは、上記凧に設けられた孔に沿って伸縮可能に配線される構成としてもよい。
【００１０】
このような発光装置を有する凧の構造では、ワイヤは凧に設けられた孔に沿って伸縮可能に配線されることにより、容易にワイヤを調節することができる。
【００１１】
また、本発明は、請求項４に記載されるように、回路基板は上記凧が風で振動したとき、上記振動を検知する振動検知器を有し、上記振動検知器は上記マイクロプロセッサーに検知結果を通知し、上記マイクロプロセッサーは、上記検知結果に応じて光を点滅させる構成としてもよい。
【００１２】
このような発光装置を有する凧の構造では、回路基板は凧が風で振動したとき、振動検知器で振動を検知し、振動検知器はマイクロプロセッサーに検知結果を通知して光を点滅させることにより、辺りが暗い時にも凧を容易に探したり、注目を集めることができる。
【００１３】
また、本発明は、請求項５に記載されるように、回路基板を収容するボックスを有する構成としてもよい。
【００１４】
このような発光装置を有する凧の構造では、回路基板をボックスに収容することにより、容易にボックスを着脱することができる。
【００１５】
また、本発明は、請求項６に記載されるように、上記ボックスは着脱可能なように上記凧の第二面に設置される構成としてもよい。
【００１６】
このような発光装置を有する凧の構造では、ボックスは凧の第二面に設置されることにより、容易にボックスを着脱することができる。
【００１７】
また、本発明は、請求項７に記載されるように、上記ボックスは上記結合装置を経由して上記凧の第二面に設置される構成としてもよい。
【００１８】
このような発光装置を有する凧の構造では、ボックスは記結合装置を経由して凧の第二面に設置されることにより、容易にボックスを着脱することができる。
【００１９】
以下に添付図面を参照して本発明のある好適な実施の形態を詳細に説明するが、それらの構成は本発明の構造の絶対的な制限にならない。
【００２０】
【発明の実施の形態】
以下、図を参照して本発明の発光装置を有する凧の構造を説明する。図１は、本発明の一実施例に係る発光装置を有する凧の使用例を示す図である。図１において、本発明の発光装置を有する凧の使用例を示しており、辺りが暗い場合にも凧は、発光装置により光を放っているため、凧の位置を容易に確認することができる。尚、発光装置は、凧の揺れにより角度の異なる光や、鋭い光、光度の強い光などを放射させることができる。
【００２１】
図２は、本発明の一実施例に係る発光装置を有する凧の前面を示す図である。図３は、本発明の一実施例に係る発光装置を有する凧の後面を示す図である。
図２、３に示すように、本発明の発光装置を有する凧の構造は、凧１、発光装置である冷光板２、ボックス１０などで構成される。冷光板２は、結合装置を経由して、着脱可能なように凧１の第一面に取り付けられる。ボックス１０は、冷光板２からの様々な光の放射を駆動させるマイクロプロセッサー４と、様々な光の放射の駆動を切替えるスイッチ６とを有する回路基板３が設けられている。凧１は、従来既存のものであるため、詳細な説明を省略する。図２に示すように、冷光板２が凧１の第一面に嵌め込まれ、図３に示すように、ボックス１０が凧１の第二面に嵌め込まれる。
【００２２】
図４は、本発明の一実施例に係る発光装置を有する凧の前面を示す分解図である。図４に示すように、冷光板２はフックによる結合装置８を経由して凧１の第１面に嵌め込まれる。結合装置８は従来の既存のものであるため、詳細な説明を省略する。結合装置８を使用することにより、冷光板２は容易に凧１から着脱可能であるため、便利に洗浄や修理、交換を行うことができる。
【００２３】
図５は、本発明の一実施例に係る発光装置を有する凧の後面を示す分解図である。図５に示すように、ボックス１０が含まれる第一部分は、もう一つの結合装置８を経由して、凧１の第二面に嵌め込まれ、第二部分がねじの螺合で、強固に第一部分に取り付けられる。結合装置８を経由して、ボックス１０は容易に凧１から着脱できるので、便利に洗浄や修理、交換を行うことができる。
【００２４】
ボックス１０の中に回路基板３があり、冷光板２を駆動すると様々な光が放射される。回路基板３には、マイクロプロセッサー４、二つの電池５、スイッチ６、振動検知器７が配置されている。マイクロプロセッサー４は、すべての回路基板３の駆動を制御する。電池５は、電力を冷光板２、全ての回路基板３に供給する。尚、再充電することができる電池５を用いるようにしてもよい。スイッチ６を操作すると、ユーザーは様々な光を選択することができる。また、空で凧１が風で振動すれば、振動検知器７が振動を検知して、それをマイクロプロセッサー４に通知する。マイクロプロセッサー４は冷光板２を点滅させる。
【００２５】
冷光板２はワイヤ９で、回路基板３に接続されている。冷光板２、ボックス１０を凧１の相対的な両面に嵌め込んだあとで、ワイヤ９を凧１の一面から別面まで伸ばさなければならない。ワイヤ９をなるべく短縮するために、ワイヤ９は凧１の伸縮装置に沿って配線される。つまり、凧１、結合装置８毎にボックス１０の第一部分が、それぞれ一つの所定の孔と相対するので、ワイヤ９は凧１、結合装置８、ボックス１０の所定の孔から挿入される。
【００２６】
このように、発光装置を有する凧１は、冷光板２、ボックス１０を有することにより、様々な光を放射させ、辺りが暗い時に凧１を空に上げても容易に凧１の位置を探すことができたり、注目を集めたりすることができる。また、冷光板２、ボックス１０を容易に凧１から着脱できるので、容易に洗浄や修理、交換を行うことができる。
【００２７】
尚、上記発光装置を有する凧の構造は上記構成に限定されることなく、類似の改良、変形、修飾された発光装置を有する凧の構造の構造においても適応可能である。
【００２８】
【発明の効果】
このような発光装置を有する凧の構造において、結合装置を経由して、着脱可能なように凧の第一面に取り付けられた冷光板と、冷光板からの様々な光の放射を駆動させるマイクロプロセッサーと、様々な光の放射の駆動を切替えるスイッチとを有する回路基板とで構成されることにより、辺りが暗い時にも凧を容易に探したり、注目を集めることができる。
【図面の簡単な説明】
【図１】本発明の一実施例に係る発光装置を有する凧の使用例を示す図である。
【図２】本発明の一実施例に係る発光装置を有する凧の前面を示す図である。
【図３】本発明の一実施例に係る発光装置を有する凧の後面を示す図である。
【図４】本発明の一実施例に係る発光装置を有する凧の前面を示す分解図である。
【図５】本発明の一実施例に係る発光装置を有する凧の後面を示す分解図である。
【図６】従来の凧の使用例を示す図である。
【符号の簡単な説明】
１                凧
２                冷光板
３                回路基板
４                マイクロプロセッサー
５                電池
６                スイッチ
７                振動検知器
８                結合装置
９                ワイヤ
１０              ボックス
【図１】
2004215835.tif 000003
【図２】
2004215835.tif 000004
【図３】
2004215835.tif 000005
【図４】
2004215835.tif 000006
【図５】
2004215835.tif 000007
【図６】
2004215835.tif 000008